(57)【要約】【課題】  検知装置の設置形態、テープ搬送作業の形態に拘わらず、内蔵するセキュリティタグの検知が可能な磁気テープカートリッジを提供することを目的とする。【解決手段】  上ハーフと下ハーフとを結合して構成されるケース筐体内に、磁気テープが巻装されたリールを回転自在に収納し、前記ケース筐体の外側部にラベル貼り付け部を備える磁気テープカートリッジであって、前記ラベル貼り付け部の内側であって、かつ、前記上ハーフの上内面寄りに、外部の検知装置によって検知可能なセキュリティタグが配設されていることを特徴とする。【選択図】      図３
2007004938.tif 000002
【特許請求の範囲】
【請求項１】
上ハーフと下ハーフとを結合して構成されるケース筐体内に、磁気テープが巻装されたリールを回転自在に収納し、前記ケース筐体の外側部にラベル貼り付け部を備える磁気テープカートリッジであって、
前記ラベル貼り付け部の内側であって、かつ、前記上ハーフの上内面寄りに、外部の検知装置によって検知可能なセキュリティタグが配設されていることを特徴とする磁気テープカートリッジ。
【請求項２】
前記セキュリティタグが、前記リールに巻装された磁気テープの外周を包囲するようにケース筐体内に立設された補強用リブの外側壁に沿って配設されていることを特徴とする請求項１に記載の磁気テープカートリッジ。
【請求項３】
前記セキュリティタグが、前記検知装置から所定の検知領域内に送出される検知信号を受信し、前記検知信号に応じて応答信号を発信する送受信部を備え、前記送受信部は、前記上ハーフの上面と、前記ラベル貼り付け部とに対面するように、前記ケース筐体内に配向されていることを特徴とする請求項１または請求項２に記載の磁気テープカートリッジ。
【発明の詳細な説明】
【技術分野】
【０００１】
本発明は、磁気テープカートリッジに関し、特に、検知装置によって確実に検知可能な磁気テープカートリッジに関する。
【背景技術】
【０００２】
大量のデータ、あるいは個人情報等の機密保持を要する重要なデータを取り扱う企業、組織、機関等においては、そのデータの喪失を防止するために、データを大容量の記録媒体に記録してデータバックアップ用に保管することが行われる。このデータバックアップ用の記録媒体として、大容量の記録容量を有するとともに、信頼性および取り扱いが容易であることから、磁気テープカートリッジが用いられている。そして、バックアップ用のデータを記録した磁気テープカートリッジは、重要なデータの喪失や逸失を防止するため、保管庫、保管室等の入場が規制される管理区域に厳重な管理の下に集中的に保管され、持ち出しが制限・管理される。例えば、ＩＤカードを使用したＩＤ認証等を要求することによって自由な入場を規制した管理区域に、図６に示すようなカートリッジ保管棚６１を設置し、このカートリッジ保管棚６１にバックアップ用のデータを記録した磁気テープカートリッジＭＣを収蔵して保管されている。この場合、各磁気テープカートリッジＭＣには、識別用の管理番号、記録されたデータの内容、データのバックアップ日時等を表示したラベルが貼り付けられる。そして、カートリッジ保管棚６１には、ラベルに表示した事項を視認できるように、ラベル貼り付け面６２を外側にしてカートリッジ保管棚６１に収蔵される。
【０００３】
しかしながら、このような人の出入りを規制する管理区域を設けても、個々の磁気テープカートリッジ自体を監視して、管理区域からの持ち出しを制限しなければ、管理区域に入場した者によって管理区域から容易に持ち出すことが可能となる虞がある。
【０００４】
そこで、管理区域外への磁気テープカートリッジの持ち出しを防止するために、セキュリティタグを、磁気テープカートリッジＭＣに貼付または装着することにより、管理区域からの持ち出しを監視可能としていた。しかし、従来のセキュリティタグは、磁気テープカートリッジの外側に貼り付けられているため、これを取り外した場合には、出入り口にも設置された検知装置によって検知されずに、磁気テープカートリッジを管理区域の外へ持ち出すことが可能となる。
【０００５】
そこで、セキュリティタグを容易に取り外せないように、セキュリティタグを内蔵した磁気テープカートリッジが提案されている（特許文献１）。しかし、これらの従来、提案されている磁気テープカートリッジにおけるセキュリティタグは、テープカートリッジの形状等からその入れ方を提案したものに過ぎず、本来のセキュリティタグの検知という目的から選択されたものではない。
【０００６】
ところで、前記管理区域から多数の磁気テープカートリッジを持ち出す場合には、図７に示すような搬送用台車７１に磁気テープカートリッジＭＣを積載して搬送される。また、管理区域から、図５（ｂ）に示すように、窓口で受け取るようになっている場合もある。
【０００７】
こうした多数の磁気テープカートリッジを積載した搬送用台車または磁気テープカートリッジは、管理区域の出入り口に設けられた検知装置（セキュリティゲート）を通過する際に、セキュリティタグの有無を検知するようになっている。このとき、搬送用台車に積載する場合には、通例、視認によるテープ確認のためラベル面側が外側になるように搬送用台車に積載される。また、窓口から磁気テープカートリッジを受け渡す場合にも、ラベル面側が外側になるようにするのが通例である。さらに、テープ保管や輸送時にも、磁気テープカートリッジは、上ハーフの上面を天井に向けるか、もしくは立てる場合はラベル面が上向き（１リールの場合）もしくはラベル面が横向きになるよう（２リールの場合は供給側リールが下側になるよう）に設計されているため、搬送用台車以外の搬送の場合でも、上ハーフ床面の側に向いて運ばれることはない。
【０００８】
しかし、特許文献１に記載されている磁気テープカートリッジにおいては、セキュリティタグは、書き込み禁止タグや磁気テープカートリッジの品種の識別用に内蔵されるタグの配置位置に対して対角の位置などに配設することが記載されているに留まり、前記セキュリティゲート事情やテープ搬送事情については考慮されていない。そのため、搬送方法、搬送の形態によっては、検知装置による検知信号等が妨げられて、検知装置がセキュリティタグを検知できない虞があった。
【特許文献１】特開２００４−１２７３４９号公報（請求項１）
【発明の開示】
【発明が解決しようとする課題】
【０００９】
そこで、本発明では、前記した問題を解決し、実際の検知装置の設置形態、およびテープ搬送作業方法に適応して、内蔵するセキュリティタグの検知が可能な磁気テープカートリッジを提供することを目的とする。
【課題を解決するための手段】
【００１０】
前記課題を解決するため、本発明の請求項１に係る磁気テープカートリッジは、上ハーフと下ハーフとを結合して構成されるケース筐体内に、磁気テープが巻装されたリールを回転自在に収納し、前記ケース筐体の外側部にラベル貼り付け部を備える磁気テープカートリッジであって、前記ラベル貼り付け部の内側であって、かつ、前記上ハーフの上内面寄りに、外部の検知装置によって検知可能なセキュリティタグが配設されていることを特徴とする。
【００１１】
この磁気テープカートリッジでは、ケース筐体のラベル貼り付け面を設けた外側部の内側であって、かつ、上ハーフの上内面寄りに、外部の検知装置によって検知可能なセキュリティタグを配設することによって、検知装置によるセキュリティタグの検知をより確実に行うことが可能となる。
【００１２】
また、請求項２に係る発明の磁気テープカートリッジは、前記セキュリティタグが、前記リールに巻装された磁気テープの外周を包囲するようにケース筐体内に立設された補強用リブの外側壁に沿って配設されていることを特徴とする。
【００１３】
この磁気テープカートリッジでは、セキュリティタグを、リールに巻装された磁気テープの外周を包囲するようにケース筐体内に立設された補強用リブの外側壁に沿って配設することによって、外部の検知装置によるセキュリティタグの検知をより確実に行うことが可能となる。
【００１４】
さらに、請求項３に係る発明の磁気テープカートリッジは、前記セキュリティタグが、前記検知装置から所定の検知領域内に送出される検知信号を受信し、前記検知信号に応じて応答信号を発信する送受信部を備え、前記送受信部は、前記上ハーフの上面と、前記ラベル貼り付け部とに対面するように、前記ケース筐体内に配向されていることを特徴とする。
【００１５】
この磁気テープカートリッジでは、検知装置から所定の検知領域内に送出される検知信号を受信し、検知信号に応じて応答信号を発信する送受信部が、上ハーフの上面と、ラベル貼り付け面とに対面するように、前記ケース筐体内に配向されていることによって、外側に開放されている上ハーフの上面またはラベル貼り付け面の側から、検知装置からの検知信号をより確実に受信することが可能となる。
【００１６】
本発明において、セキュリティタグは、磁気テープカートリッジに内蔵可能な形態および構造を有し、外部に設けられた検知装置によって検知可能なものであれば、特に制限されない。例えば、下記の形態のものが挙げられる。
（１）誘電体層と、その誘電体層の片側または両側に螺旋状パターンに形成された金属箔によって構成されたコイルおよびコンデンサ電極部とを有し、これらの誘電体層と、コイルおよびコンデンサ電極部とによって、抵抗、インダクタンスおよび静電容量を有する共振回路が形成され、検知装置からの特定の共振周波数の電波を受信して共振する薄板状の共振装置。
（２）検知装置から発信される特定周波数の電波を受信するダイポールアンテナと、受信された電波の周波数を逓倍するダイオードと、逓倍された周波数の電波を送信するループアンテナとを備えるフィルム状の装置。
（３）検知装置から発信される特定周波数の電波を受信すると、受信終了後に応答信号を発信するとともに、警報を発する機能を有する装置。
【発明の効果】
【００１７】
本発明の磁気テープカートリッジは、ケース筐体のラベル貼り付け面を設けた外側部の内側であって、かつ、上ハーフの上内面寄りに、外部の検知装置によって検知可能なセキュリティタグを配設することによって、実際の検知装置の設置形態、およびテープ搬送作業方法に適応して、内蔵するセキュリティタグの検知が可能になる。
【発明を実施するための最良の形態】
【００１８】
次に、本発明の実施形態について、適宜図面を参照しながら詳細に説明する。
図１は、本発明の第１の実施形態に係る磁気テープカートリッジＭＣ１の構成を示す分解斜視図、図２（ａ）〜図２（ｃ）は、セキュリティタグの配置例を示す模式図、図３は、磁気テープカートリッジの一部を切り欠いて示す斜視図である。
【００１９】
図１に示す磁気テープカートリッジＭＣ１は、上ハーフ１Ａと下ハーフ１Ｂとを結合して構成されるケース筐体１の内部に、磁気テープＭＴが巻装された単一のリール２、リール２の回転をロックするためのリールロック３、圧縮コイルばね４、リール２のロック状態を解除するためのリリースパッド５、上ハーフ１Ａおよび下ハーフ１Ｂに跨ってケース筐体１に形成された磁気テープ引出口１Ｃを開閉するスライドドア６、スライドドア６を磁気テープ引出口１Ｃの閉位置に付勢するねじりコイルばね７、誤消去防止爪８、などを組み込んで構成されている。また、下ハーフ１Ｂには、補強用のリブ９Ａ，９Ｂ，９Ｃがリール２の外周を取り囲む形で適宜立設されている。また、８ａ１および８ａ２は、上ハーフ１Ａと下ハーフ１Ｂとを結合してケース筐体１を構成したときに、誤消去防止爪８を操作するための窓を形成する。
【００２０】
リール２は、上ハーフ１Ａ側に開口するカップ状ハブ２Ａを中心部に有し、このカップ状ハブ２Ａ内にリリースパッド５、リールロック３および圧縮コイルばね４が順次組み付けられ、磁気テープカートリッジＭＣ１の非使用時には、リール２の回転動作が拘束され、磁気テープカートリッジＭＣ１の使用時には、リール２の回転動作の拘束が解除され、リール２が回転自在とされる。
【００２１】
この磁気テープカートリッジＭＣ１が対応するテープドライブ（図示せず）にセットされると、テープドライブの回転駆動手段によって押圧されたリリースパッド５によって、リールロック３が圧縮コイルばね４の付勢力に抗して上ハーフ１Ａに向けて上昇し、リールロック３によるリール２の回転のロックが解除される。これによって、リール２が回転自在とされるとともに、テープドライブの回転駆動手段がリール２を回転駆動する。これとともに、スライドドア６が開かれて磁気テープＭＴがテープドライブに引き込まれ、磁気テープＭＴへのデータの読み書きが可能となる。
【００２２】
この磁気テープカートリッジＭＣ１において、ケース筐体１の誤消去防止爪８が配設される外側部に、識別用の管理番号、記録されたデータの内容、データのバックアップ日時等を表示したラベルを貼り付けるためのラベル貼り付け部１１が設けられる。このラベル貼り付け部１１は、磁気テープカートリッジＭＣ１を搬送用台車に積載（図７参照）する場合、テープ保管（図６参照）する場合、また、窓口から磁気テープカートリッジを受け渡す場合にも、通例、視認によるテープ確認のため、外側になるようにするのが通例である。さらに、磁気テープカートリッジＭＣ１は、上ハーフの上面を天井に向ける（図５（ａ），（ｂ）参照）か、もしくは立てる場合はラベル貼り付け部１１が上向き（１リールの場合）もしくはラベル貼り付け部１１が横向きになるよう（２リールの場合は供給側リールが下側になるよう）に設計されている。
【００２３】
この磁気テープカートリッジＭＣ１において、ラベル貼り付け部１１の内側であって、補強用リブ９Ｂの外側壁９ｄの上部から突設されたタグ取り付けリブ１０ａに、前記外側壁９ｄに沿って、かつ、上ハーフ１Ａの上内面寄りにセキュリティタグ１０が装着されている。そして、セキュリティタグ１０は、タグ取り付けリブ１０ａに、検知装置から所定の検知領域内に送出される検知信号を受信し、前記検知信号に応じて応答信号を発信する送受信部が、上ハーフ１Ａの上面と、ラベル貼り付け部１１とに対面するように、ケース筐体１内に配向される。すなわち、図２（ａ）に斜視図，図２（ｂ）に平面断面図，図２（ｃ）に図２（ｂ）に示すＡ−Ａ矢視断面図をそれぞれ示すように、セキュリティタグ１０の上面１０ｃが、上ハーフ１Ａの上内面およびラベル貼り付け部１１に対面するように、タグ取り付けリブ１０ａの底面に対して、通常、４５度の角度になるように斜めに配向して装着される。
【００２４】
この磁気テープカートリッジＭＣ１において、図３に示すように、セキュリティタグ１０の上面１０ｃが、上ハーフ１Ａの上内面およびラベル貼り付け部１１に向けて配向され、これによって、外部の検知装置によって送出される検知信号をセキュリティタグ１０が確実に受信し、かつ、その検知信号に応じて応答信号を発信し、その応答信号を検知装置がより確実に検知して、通信障壁がなく、高感度の送受信が可能となる。
【００２５】
次に、図４は、本発明の第２の実施形態に係る磁気テープカートリッジＭＣ２の一部を切り欠いて示す斜視図である。
【００２６】
図４に示す磁気テープカートリッジＭＣ２は、上ハーフ４１Ａと、下ハーフ４１Ｂとを結合して構成されるケース筐体４１の内部に、磁気テープＭＴが巻回された供給側ハブ（リール）４２Ａ（リール）および巻取り側ハブ（リール）４２Ｂが収納されている。
【００２７】
上ハーフ４１Ａの前面（図４中紙面右斜め上方向）には、磁気テープカートリッジＭＣ２の非使用時に、ケース筐体４１の前面に張架される磁気テープＭＴを保護する前蓋４３が、上ハーフ４１Ａに回動可能に取り付けられている。また、下ハーフ４１Ｂの外側下面には、記録再生装置のドライブ機構が挿入される開放部（図示せず）を塞ぐスライダ（図示せず）が前後方向に摺動可能に取り付けられている。
【００２８】
この磁気テープカートリッジＭＣ２において、ラベル貼り付け部４５の内側であって、供給側ハブ４２Ａに巻装された磁気テープＭＴの外周を包囲するようにケース筐体４１内に立設された補強用リブ４４の外側壁４４ａの上部に突設されたタグ取り付けリブ４６ａに、外側壁４４ａに沿って、かつ、上ハーフ４１Ａの上内面寄りに、セキュリティタグ４６が装着されている。そして、セキュリティタグ４６は、タグ取り付けリブ４６ａに、検知装置から所定の検知領域内に送出される検知信号を受信し、前記検知信号に応じて応答信号を発信する送受信部が、上ハーフ４１Ａの上面と、ラベル貼り付け部４５とに対面するように、ケース筐体４１内に配向される。すなわち、セキュリティタグ４６の上面４６ｃが、上ハーフ４１Ａの上内面およびラベル貼り付け部４５に対面するように、タグ取り付けリブ４６ａの底面に対して、通常、４５度の角度になるように斜めに配向して装着される。
【００２９】
この磁気テープカートリッジＭＣ２において、セキュリティタグ４６の上面４６ｃが、上ハーフ４１Ａの上内面およびラベル貼り付け部４５に向けて配向され、これによって、外部の検知装置によって送出される検知信号をセキュリティタグ４６が確実に受信し、かつ、その検知信号に応じて応答信号を発信し、その応答信号を検知装置がより確実に検知して、通信障壁がなく、高感度の送受信が可能となる。
【００３０】
なお、上記各実施形態は本発明の磁気テープカートリッジの一例を示したものであり、本発明はこれらに限定されるべきものではないことは言うまでもない。例えば、前記の実施形態では、セキュリティタグ１０（４６）は、補強用リブ９Ｂ（４４）に突設されたタグ取り付けリブ１０ａ（４６ａ）に取り付ける例を示したが、セキュリティタグ１０（４６）の取り付け位置は、これに限定されず、例えば、上ハーフ１Ａ（４１Ａ）の上内面等に取り付けてもよい。また、その取り付け方法も、特に限定されず、接着剤、両面テープ、ビス等を用いて取り付ける方法を用いてもよい。
【００３１】
さらに、前記の第１の実施形態では、セキュリティタグ１０を誤消去防止爪８の内側の補強用リブ９Ｂに取り付ける例を示したが、セキュリティタグ１０を補強用リブ９Ａの外側壁に取り付けてもよい。その場合も、タグ取り付けリブ１０ａ、あるいは接着剤、両面テープ、ビス等を用いて取り付ける方法のいずれによって取り付けてもよい。
【００３２】
本発明の磁気テープカートリッジは、内蔵されるセキュリティタグを検知可能な検知装置であれば、いずれの装置であってもよい。例えば、図５（ａ）に示すとおり、検知信号を発信する２つの検知装置５１Ａ，５１Ｂを対向させて、その検知装置の間を搬送用台車、磁気テープカートリッジを持ち出す人等が通過するように構成された形態、また、図５（ｂ）に示すように、窓口５２の上部に検知信号を発信する検知装置５４が配置された形態、ループアンテナ状になっている形態などのいずれの形態であってもよい。
【００３３】
図５（ａ）に示す検知装置５１Ａ，５１Ｂにおいては、その間を磁気テープカートリッジＭＣが通過すると、磁気テープカートリッジＭＣが内蔵するセキュリティタグが２つの検知装置５１Ａ，５１Ｂが発信する検知信号を受信して、応答信号を発信し、この応答信号を検知信号が検知することによって、磁気テープカートリッジＭＣが管理区域の外に持ち出されるのを検知することができる。
また、図５（ｂ）に示す検知装置５４においては、窓口５２の受付台５３に磁気テープカートリッジＭＣが置かれると、磁気テープカートリッジＭＣが内蔵するセキュリティタグが検知装置５４が発信する検知信号を受信して、応答信号を発信し、この応答信号を検知信号が検知することによって、磁気テープカートリッジＭＣが管理区域の外に持ち出されるのを検知することができる。
【００３４】
このとき、持ち出しの理由、持ち出す用途、持ち出し者を確認の上、持ち出しが許可された磁気テープカートリッジにおいては、磁気テープカートリッジＭＣの内蔵するセキュリティタグの送受信機能を、予めキャンセルするようにしておけば、持ち出しが許可されない磁気テープカートリッジのみの持ち出しを検知することができる。これによって、個々の磁気テープカートリッジ自体を監視して、管理区域からの持ち出しを制限し、管理区域に入場した者によって管理区域から無断で持ち出すことを防止することができる。
【００３５】
このとき、本発明の磁気テープカートリッジにおいては、前記セキュリティタグが、前記検知装置から所定の検知領域内に送出される検知信号を受信し、前記検知信号に応じて応答信号を発信する送受信部が、上ハーフの上面と、ラベル貼り付け部とに対面するように、前記ケース筐体内に配向されているため、実際の検知装置の設置形態、およびテープ搬送作業方法に適応して、内蔵するセキュリティタグの検知が可能となる。
【図面の簡単な説明】
【００３６】
【図１】第１の実施形態に係る磁気テープカートリッジの構成を示す分解斜視図である。
【図２】（ａ）は第１の実施形態に係る磁気テープカートリッジの一部を切り欠いて示す斜視図、（ｂ）は平面断面図、（ｃ）は（ｂ）に示すＡ−Ａ矢視断面図である。
【図３】第１の実施形態に係る磁気テープカートリッジの一部を切り欠いて示す斜視図である。
【図４】第２の実施形態に係る磁気テープカートリッジの一部を切り欠いて示す斜視図である。
【図５】（ａ）は管理区域の出入り口に設置されるセキュリティゲートを示す模式図、（ｂ）は窓口に設置されるセキュリティゲートを示す模式図である。
【図６】磁気テープカートリッジの保管棚を示す模式図である。
【図７】磁気テープカートリッジの搬送用台車の一例を示す模式図である。
【符号の説明】
【００３７】
１      ケース筐体
１Ａ    上ハーフ
１Ｂ    下ハーフ
２      リール
８      誤消去防止爪
９Ａ，９Ｂ    補強用リブ
９ｄ    外側壁
１０    セキュリティタグ
１０ａ  タグ取り付けリブ
４１    ケース筐体
４１Ａ  上ハーフ
４１Ｂ  下ハーフ
４４    補強用リブ
４４ａ  外側壁
４６    セキュリティタグ
４６ａ  リブ
５１Ａ  検知装置
５４    検知装置
ＭＴ    磁気テープ
ＭＣ，ＭＣ１，ＭＣ２  磁気テープカートリッジ
【図１】
2007004938.tif 000003
【図２】
2007004938.tif 000004
【図３】
2007004938.tif 000005
【図４】
2007004938.tif 000006
【図５】
2007004938.tif 000007
【図６】
2007004938.tif 000008
【図７】
2007004938.tif 000009